【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得部と、
前記データ取得部で取得されたデータに基づいて、関連度に関する関連度条件および価格情報に関する価格情報条件を満たす識別子を前記関連対象とされた識別子の中から抽出し、選択集合を作成する情報選択部と、
ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出部と、
を備え、
前記情報選択部は、前記価格情報条件を、前記利用価格情報に応じて設定することを特徴とする情報選択装置。
【請求項２】
前記利用価格情報算出部は、各利用主体の前記特性値の平均値を前記代表する値として算出し、前記一の利用主体に対応する前記特性値と前記平均値との差を、各利用主体の前記特性値の標準偏差で割った値に基づいて、前記一の利用主体に対応する利用価格情報を算出することを特徴とする請求項１に記載の情報選択装置。
【請求項３】
前記利用価格情報算出部は、利用主体に提供されたアイテムの価格の合計額を用いた値、または提供されたアイテムの価格の代表値を前記特性値として算出し、各利用主体の前記特性値を代表する値をさらに算出し、前記一の利用主体に対応する前記特性値と前記代表する値との差に基づく価格水準値を前記利用価格情報として算出し、
前記情報選択部は、前記一の利用主体に対応する前記価格水準値が大きいほど、大きな値の価格情報を持つ識別子が前記価格情報条件を満たすように、前記価格情報条件を設定することを特徴とする請求項１または請求項２に記載の情報選択装置。
【請求項４】
前記利用価格情報算出部は、利用主体に提供されたアイテムの価格に関するばらつき度合いを示す値、または提供されたアイテムの合計額に関するばらつき度合いを示す値を前記特性値として算出し、各利用主体の前記特性値を代表する値をさらに算出し、前記一の利用主体に対応する前記特性値と前記代表する値との差に基づく価格分散値を前記利用価格情報として算出し、
前記情報選択部は、前記一の利用主体に対応する前記価格分散値が大きいほど、大きな値の価格情報を持つ識別子が前記価格情報条件を満たすように、前記価格情報条件を設定することを特徴とする請求項１または請求項２に記載の情報選択装置。
【請求項５】
前記利用価格情報算出部は、利用主体に提供されたアイテムの価格の合計額を用いた値、または提供されたアイテムの価格の代表値を前記特性値として算出し、各利用主体の前記特性値を代表する値をさらに算出し、前記一の利用主体に対応する前記特性値と前記代表する値との差に基づく価格水準値を前記利用価格情報として算出し、
前記情報選択部は、前記価格水準値が小さいほど、大きな関連度を持つ識別子が前記関連度条件を満たすように、前記関連度条件を設定することを特徴とする請求項１から請求項４のいずれか１項に記載の情報選択装置。
【請求項６】
前記利用価格情報算出部は、利用主体に提供されたアイテムの価格に関するばらつき度合いを示す値、または提供されたアイテムの合計額に関するばらつき度合いを示す値を前記特性値として算出し、各利用主体の前記特性値を代表する値をさらに算出し、前記一の利用主体に対応する前記特性値と前記代表する値との差に基づく価格分散値を前記利用価格情報として算出し、
前記情報選択部は、前記価格分散値が小さいほど、大きな関連度を持つ識別子が前記関連度条件を満たすように、前記関連度条件を設定することを特徴とする請求項１から請求項４のいずれか１項に記載の情報選択装置。
【請求項７】
前記利用価格情報算出部は、各利用主体の前記特性値をアイテム区分ごとに算出し、算出された各利用主体の特性値を代表する値をアイテム区分ごとに算出し、前記一の利用主体に対応する前記特性値と前記代表する値との差に基づいて、前記一の利用主体に対応する利用価格情報をアイテム区分ごとに算出する利用価格情報算出部と、
前記情報選択部は、前記関連対象とされた識別子に対応するアイテム区分を特定し、前記特定されたアイテム区分について算出された前記一の利用主体に対応する利用価格情報に基づいて、前記価格情報条件および前記関連度条件の少なくとも一方を設定することを特徴とする請求項１から請求項６のいずれか１項に記載の情報選択装置。
【請求項８】
外部から価格に関する制御データを受信する受信部をさらに備え、
前記情報選択部は、前記制御データに応じて、前記価格情報条件および前記関連度条件の少なくとも一方を設定することを特徴とする請求項１から請求項７のいずれか１項に記載の情報選択装置。
【請求項９】
コンピュータにおいて実行される情報選択方法であって、
アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得ステップと、
前記データ取得ステップで取得されたデータに基づいて、関連度に関する関連度条件および価格情報に関する価格情報条件を満たす識別子を前記関連対象とされた識別子の中から抽出し、選択集合を作成する情報選択ステップと、
ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出ステップと、
を有し、
前記情報選択ステップは、前記価格情報条件を、前記利用価格情報に応じて設定することを特徴とする情報選択方法。
【請求項１０】
アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得ステップと、
前記データ取得ステップで取得されたデータに基づいて、関連度に関する関連度条件および価格情報に関する価格情報条件を満たす識別子を前記関連対象とされた識別子の中から抽出し、選択集合を作成する情報選択ステップと、
ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出ステップと、
をコンピュータに実行させ、
前記情報選択ステップは、前記価格情報条件を、前記利用価格情報に応じて設定することを特徴とするコンピュータプログラム。
【手続補正２】
【補正対象書類名】明細書
【補正対象項目名】０００８
【補正方法】変更
【補正の内容】
【０００８】
上記課題を解決するため、本発明の第１の態様である情報選択装置は、アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得部と、前記データ取得部で取得されたデータに基づいて、関連度に関する関連度条件および価格情報に関する価格情報条件を満たす識別子を前記関連対象とされた識別子の中から抽出し、選択集合を作成する情報選択部と、ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出部と、を備え、前記情報選択部は、前記価格情報条件を、前記利用価格情報に応じて設定することを特徴とする。
上記課題を解決するため、本発明の第２の態様である情報選択方法は、コンピュータにおいて実行される情報選択方法であって、アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得ステップと、前記データ取得ステップで取得されたデータに基づいて、関連度に関する関連度条件および価格情報に関する価格情報条件を満たす識別子を前記関連対象とされた識別子の中から抽出し、選択集合を作成する情報選択ステップと、ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出ステップと、を有し、前記情報選択ステップは、前記価格情報条件を、前記利用価格情報に応じて設定することを特徴とする
上記課題を解決するため、本発明の第３の態様であるコンピュータプログラムは、アイテムまたはアイテムごとに定められたカテゴリを識別する識別子とアイテムまたはカテゴリの価格情報とを対応させた価格情報データ、および基準となる１つのアイテムまたはカテゴリの識別子に対して、関連対象となる複数個の他のアイテムまたはカテゴリの識別子を、関連性の強さを示す関連度とともに記録した関連度データを取得するデータ取得ステップと、前記データ取得ステップで取得されたデータに基づいて、関連度に関する関連度条件および価格情報に関する価格情報条件を満たす識別子を前記関連対象とされた識別子の中から抽出し、選択集合を作成する情報選択ステップと、ユーザまたは端末装置である利用主体に提供されたアイテムの価格情報に基づいて利用主体ごとに定まる特性値を各利用主体について算出し、算出された各利用主体の特性値を代表する値をさらに算出し、一の利用主体に対応する前記特性値と前記代表する値との差に基づいて、前記一の利用主体に対応する利用価格情報を算出する利用価格情報算出ステップとをコンピュータに実行させ、前記情報選択ステップは、前記価格情報条件を、前記利用価格情報に応じて設定することを特徴とする。